(57)【要約】【課題】ユーザによる簡易な操作を受け付けることにより野球の配球予想を入力可能であり、それを表示することができる配球予想表示システム及び方法を提供すること。【解決手段】数字キー１１１を操作すると、配球予想を示すシンボルが配球予想作成部１０２により作成され、配球コース指定枠の数字キー１１１に対応した配球コース指定枠の中心部の３行３列の領域に表示される。また、十字キー１１２を押下することで、配球予想を上下左右に調整すると共に、既に配球コース指定枠に表示されているシンボルを上下左右に調整する。そして、表示部１０８は、配球予想作成部１０２により作成された配球予想を示すシンボルを表示する。【選択図】図４
2010115267.tif 000002
【特許請求の範囲】
【請求項１】
野球の配球予想表示システムであって、
ＴＶリモコン又は携帯電話と、
野球の配球予想を表示する表示手段と、を含み、
前記ＴＶリモコン又は前記携帯電話は、それぞれチャンネル選択ボタン部又は電話番号入力ボタン部を構成する３行３列の略格子の位置に配された数字キーの操作を受け付けたことに応じて、前記表示手段に、対応する３行３列の略格子状に分割されたストライクゾーンに予想したコースを示すシンボルを表示するためのデータを前記表示手段に送信する配球予想送信手段を含むことを特徴とする野球の配球予想表示システム。
【請求項２】
前記配球予想送信手段は、前記ＴＶリモコン又は前記携帯電話のそれぞれの方向指定ボタン部を構成する十字キーの操作を更に受け付けたことに応じて、前記表示手段に、前記ストライクゾーンの外側に設けられたボールゾーンに予想したコースを示すシンボルを表示するためのデータを送信する、請求項１記載の配球予想表示システム。
【請求項３】
前記配球予想送信手段は、前記ＴＶリモコン又は前記携帯電話のそれぞれに設けられた所定キーの操作を更に受け付けたことに応じて、前記表示手段に表示されている前記予想した球種を変更するためのデータを送信する、請求項１又は２記載の野球の配球予想表示システム。
【請求項４】
前記配球予想送信手段は、前記ＴＶリモコン又は前記携帯電話のそれぞれに１つのみ設けられた所定キーの操作を更に受け付けたことに応じて、前記表示手段に表示されている前記予想した球種を変更するためのデータを送信する請求項３記載の野球の配球予想表示システム。
【請求項５】
前記表示手段は、インターネットテレビのブラウザであることを特徴とする請求項１から４のいずれかに記載の野球の配球予想表示システム。
【請求項６】
前記ＴＶリモコン又は前記携帯電話の操作による前記配球予想の受け付けを制御する予想受付制御手段を更に備えることを特徴とする請求項１から５のいずれかに記載の野球の配球予想表示システム。
【請求項７】
他ユーザの配球予想を示すシンボルを表示するためのデータを受信する配球予想受信手段を更に備え、
前記表示手段は、ユーザの前記予想したコースを示すシンボルを表示すると共に、前記配球予想受信手段により受信した前記他ユーザの前記予想したコースを示すシンボルを重ね合わせて表示することを特徴とする請求項１から６のいずれかに記載の野球の配球予想表示システム。
【請求項８】
前記配球予想受信手段は、前記他ユーザのうち指定したユーザの前記予想したコースを示すシンボルを表示するためのデータを受信することを特徴とする請求項７に記載の野球の配球予想表示システム。
【請求項９】
チャンネル選択ボタン部又は電話番号入力ボタン部を構成する３行３列の略格子の位置に配された数字キーを設けたＴＶリモコン又は携帯電話と、
野球の配球予想を表示する表示手段と、
を含んだ野球の配球予想を行う方法であって、
前記ＴＶリモコン又は前記携帯電話のチャンネル選択ボタン部又は電話番号入力ボタン部を構成する３行３列の略格子の位置に配された数字キーの操作を受け付けたことに応じて、前記表示するステップに、対応する３行３列の略格子状に分割されたストライクゾーンに予想したコースを示すシンボルを表示するためのデータを前記表示手段に送信するステップを含むことを特徴とする野球の配球予想を行う方法。
【発明の詳細な説明】
【技術分野】
【０００１】
本発明は、野球の配球予想表示システム及び方法に関する。
【背景技術】
【０００２】
従来、打者側遊戯者が投手キャラクタの投球にやまを張ることができる野球ゲームの制御方法が提案されている（例えば、特許文献１）。特許文献１に記載の制御方法では、守備側遊戯者は左アナログスティックで投手キャラクタが投球する投球球種を入力し、攻撃側遊戯者は右アナログスティックで投手キャラクタが投球すると予想される予想球種を入力する。そして、投球球種と予想球種とが一致したときには、打撃誘導範囲内のボールがミートカーソル内に入るようにミートカーソルを誘導して打者キャラクタの打撃を許容し、投球球種と予想球種とが不一致のときには、ミートカーソルが、予想球種を攻撃側遊戯者が入力しなかったときのミートカーソルより縮小される。
【特許文献１】特開２００２−３０１２６７号公報
【発明の開示】
【発明が解決しようとする課題】
【０００３】
しかしながら、この野球ゲーム装置は、アナログスティック、すなわち、ゲーム機専用のコントローラを備えている必要がある。そして、このコントローラは、予測する球種の入力に対応しているものではないので、ゲームに不慣れなユーザは、予測する球種の入力操作を煩わしく感じる可能性がある。
【０００４】
一方、テレビの野球中継において、解説者による配球の予想を表示したり、インターネット上の野球中継において、ピッチャーが実際に投げた配球を表示したりするサービスが知られている。
【０００５】
しかしながら、このような野球中継においては、視聴者自らが配球の予想を入力して他人の配球の予想と共に表示する手段は提供されていない。
【０００６】
そこで本発明は、ユーザによる簡易な操作を受け付けることにより野球の配球予想を入力可能であり、他ユーザの配球予想と共に表示することができる配球予想表示システム及び方法を提供することを目的とする。
【課題を解決するための手段】
【０００７】
本発明では、以下のような解決手段を提供する。
【０００８】
（１）  野球の配球予想表示システムであって、
ＴＶリモコン又は携帯電話と、
野球の配球予想を表示する表示手段と、を含み、
前記ＴＶリモコン又は前記携帯電話は、それぞれチャンネル選択ボタン部又は電話番号入力ボタン部を構成する３行３列の略格子の位置に配された数字キーの操作を受け付けたことに応じて、前記表示手段に、対応する３行３列の略格子状に分割されたストライクゾーンに予想したコースを示すシンボルを表示するためのデータを前記表示手段に送信する配球予想送信手段を含むことを特徴とする野球の配球予想表示システム。
【０００９】
（１）記載の野球の配球予想表示システムによれば、表示手段により野球の配球予想を表示し、ＴＶリモコン又は携帯電話が、それぞれチャンネル選択ボタン部又は電話番号入力ボタン部を構成する３行３列の略格子の位置に配された数字キーの操作を受け付けられたことに応じて、配球予想送信手段により、表示手段に対応する３行３列の略格子状に分割されたストライクゾーンに予想したコースを示すシンボルを表示するためのデータを前記表示手段に送信する。
【００１０】
このようにすることで、３行３列の略格子の位置に配された数字キーが、３行３列の略格子状に分割されたストライクゾーンに対応するので、数字キーとストライクゾーンとの関連付けが視覚的に理解しやすい。このため、配球予想表示システムは、ユーザによる簡易な操作を受け付けることにより野球の配球予想を行うことができる。
【００１１】
（２）  前記配球予想送信手段は、前記ＴＶリモコン又は前記携帯電話のそれぞれの方向指定ボタン部を構成する十字キーの操作を更に受け付けたことに応じて、前記表示手段に、前記ストライクゾーンの外側に設けられたボールゾーンに予想したコースを示すシンボルを表示するためのデータを送信する、（１）記載の配球予想表示システム。
【００１２】
（２）記載の野球の配球予想表示システムによれば、ＴＶリモコン又は携帯電話が、それぞれの方向指定ボタン部を構成する十字キーの操作を更に受け付けられたことに応じて、配球予想送信手段により、表示手段にストライクゾーンの外側に設けられたボールゾーンに予想したコースを示すシンボルを表示するためのデータを送信する。
【００１３】
このようにすることで、十字キーの操作に応じて、ストライクゾーンの外側に設けられたボールゾーンに予想したコースを示すシンボルを表示するためのデータを送信するので、入力操作における操作方法が視覚的に理解しやすく、ゲームに不慣れなユーザでも操作しやすい。
【００１４】
（３）  前記配球予想送信手段は、前記ＴＶリモコン又は前記携帯電話のそれぞれに設けられた所定キーの操作を更に受け付けたことに応じて、前記表示手段に表示されている前記予想した球種を変更するためのデータを送信する、（１）又は（２）記載の野球の配球予想表示システム。
【００１５】
このような構成によれば、所定のキーを操作することにより、球種を変更することができる。
【００１６】
（４）  前記配球予想送信手段は、前記ＴＶリモコン又は前記携帯電話のそれぞれに１つのみ設けられた所定キーの操作を更に受け付けたことに応じて、前記表示手段に表示されている前記予想した球種を変更するためのデータを送信する（３）記載の野球の配球予想表示システム。
【００１７】
このような構成によれば、１つの所定のキーを操作することにより、球種を変更することができる。このため、複数の所定キーを設ける場合に比べて操作するキーを少なくできるので、より簡単な操作で野球の配球予想を行うことができる。
【００１８】
（５）  前記表示手段は、インターネットテレビのブラウザであることを特徴とする（１）から（４）のいずれかに記載の野球の配球予想表示システム。
【００１９】
このような構成によれば、ブラウザで配球予想を表示するプログラムを用意すると、ブラウザにより当該プログラムを表示させることができるので、インターネットテレビに対して特別に配球予想を表示させるための機能を追加することが不要となる。
【００２０】
（６）  前記ＴＶリモコン又は前記携帯電話の操作による前記配球予想の受け付けを制御する予想受付制御手段を更に備えることを特徴とする（１）から（５）のいずれかに記載の野球の配球予想表示システム。
【００２１】
このような構成によれば、投手が投球を行う前に、ユーザの配球予想を受け付けるので、投球を行った後に、配球予想が当たったか否かを確認できる。
【００２２】
（７）  他ユーザの配球予想を示すシンボルを表示するためのデータを受信する配球予想受信手段を更に備え、
前記表示手段は、ユーザの前記予想したコースを示すシンボルを表示すると共に、前記配球予想受信手段により受信した前記他ユーザの前記予想したコースを示すシンボルを重ね合わせて表示することを特徴とする（１）から（６）のいずれかに記載の野球の配球予想表示システム。
【００２３】
このような構成によれば、ユーザの配球予想を示すシンボルを表示すると共に、他ユーザの配球予想を示すシンボルを重ね合わせて表示することができる。
【００２４】
（８）  前記配球予想受信手段は、前記他ユーザのうち指定したユーザの前記予想したコースを示すシンボルを表示するためのデータを受信することを特徴とする（７）に記載の野球の配球予想表示システム。
【００２５】
このような構成によれば、他ユーザのうち指定したユーザの予想したコースを示すシンボルを表示するためのデータのみに限定して受信し、表示手段に表示させることができるので、配球コース指定枠における表示の視認性を向上することができる。さらに、予想精度が高いユーザの配球予想を表示させることで、ユーザ自身の配球予想の精度向上に役立てることができる。
【００２６】
（９）  チャンネル選択ボタン部又は電話番号入力ボタン部を構成する３行３列の略格子の位置に配された数字キーを設けたＴＶリモコン又は携帯電話と、
野球の配球予想を表示する表示手段と、
を含んだ野球の配球予想を行う方法であって、
前記ＴＶリモコン又は前記携帯電話のチャンネル選択ボタン部又は電話番号入力ボタン部を構成する３行３列の略格子の位置に配された数字キーの操作を受け付けたことに応じて、前記表示するステップに、対応する３行３列の略格子状に分割されたストライクゾーンに予想したコースを示すシンボルを表示するためのデータを前記表示手段に送信するステップを含むことを特徴とする野球の配球予想を行う方法。
【００２７】
このような方法によれば、当該方法を実現することにより、（１）と同様の効果が期待できる。
【発明の効果】
【００２８】
本発明によれば、配球予想表示システムは、ユーザによる簡易な操作を受け付けることにより野球の配球予想を入力可能であり、他ユーザの配球予想と共に表示することができる。
【発明を実施するための最良の形態】
【００２９】
（第１実施形態）
以下、本発明の第１実施形態について図を参照しながら説明する。
【００３０】
第１実施形態では、配球予想表示システムは、表示手段としてのＤＴＶ（デジタルテレビジョン）受信装置１及び３と、配球予想管理サーバ２と、ＴＶリモコンであるリモコン１１００と、で構成され、配球予想管理サーバ２では、テレビの野球中継において、視聴者が投手の配球予想をできるサービスを行っているものとする。そして、このサービスでは、配球予想管理サーバ２において、投手が投球の準備をしてから投球するまでの間に予想受付時間を設けられ、この予想受付時間内に受け付けられたユーザの予想を他ユーザに送信するものとする。
【００３１】
［システム全体構成］
図１は、第１実施形態に係る表示手段としてのＤＴＶ（デジタルテレビジョン）受信装置１と関連要素との全体構成を示す図である。第１実施形態では、インターネット等の通信回線に代表される通信ネットワーク４を介して、ＤＴＶ受信装置１と、配球予想管理サーバ２と、ＤＴＶ受信装置３、が通信可能に接続されている。
【００３２】
テレビの野球中継において投手の配球を予想できるサービスにおいて、ＤＴＶ受信装置１は、ユーザがＤＴＶ受信装置１に対応するＴＶリモコンであるリモコン（リモートコントローラ）１１００のチャンネル選択ボタン等を操作することで、予めＤＴＶ受信装置１の表示部１０８に表示された配球コース指定枠に、配球予想を示すシンボルを表示する。そして、配球予想管理サーバ２は、予想受付時間内に、ＤＴＶ受信装置１と、ＤＴＶ受信装置３から配球予想を受信して、予想受付時間の経過後にそれぞれのユーザに対して、他ユーザの配球予想を送信する。そして、ＤＴＶ受信装置１は、送信された他ユーザの配球予想を受信して、表示部１０８に対して、ユーザの配球予想を示すシンボルと共に、他ユーザの配球予想を示すシンボルを重ね合わせて表示する。
【００３３】
［ＤＴＶ受信装置１のハードウェア構成］
図２は、第１実施形態に係るＤＴＶ受信装置１のハードウェア構成を示す図である。本発明が実施されるＤＴＶ受信装置１のハードウェア構成は標準的なものでよく、以下に構成の一例を示す。
【００３４】
ＤＴＶ受信装置１は、制御部１００を構成するＣＰＵ（Ｃｅｎｔｒａｌ  Ｐｒｏｃｅｓｓｉｎｇ  Ｕｎｉｔ）１０１０、バスライン１００５、通信Ｉ／Ｆ（Ｉ／Ｆ：インターフェイス）１０４０、ＲＯＭ（Ｒｅａｄ−Ｏｎｌｙ  Ｍｅｍｏｒｙ）１０２０、ＲＡＭ（Ｒａｎｄｏｍ  Ａｃｃｅｓｓ  Ｍｅｍｏｒｙ）１０３０、選局受信部１０５０、デコーダ部１０６０、音声処理部１０７０、映像処理部１０８０、音声出力部１０７１、表示部１０８、リモコン受光部１０９０、及びアンテナ１２００を備える。そして、ＤＴＶ受信装置１の遠隔操作手段として、リモコン１１００を備える。
【００３５】
制御部１００は、ＤＴＶ受信装置１を統括的に制御する部分であり、ＲＯＭ１０２０に記憶された各種プログラムや、ＲＡＭ１０３０に一時的に記憶された作業データを適宜読み出して実行することにより、上述したハードウェアと協働し、本発明に係る各種機能を実現している。
【００３６】
アンテナ１２００は、ＤＴＶ放送信号を受信する。選局受信部１０５０は、ＤＴＶ放送信号を選択受信して、符号化データストリームに復調及びエラー訂正を行う。
【００３７】
デコーダ部１０６０は、符号化データストリームを映像データと音声データに分離して、それぞれを復号する。
【００３８】
音声処理部１０７０は、音声データをアナログ信号に変換して音声出力部１０７１に供給する。映像処理部１０８０は、映像データをアナログ信号に変換して表示部１０８に供給すると共に、放送内容が投手の配球予想を受け付ける野球中継である場合に、配球コース指定枠を表示する。そして、予想受付時間内において、ユーザがリモコン１１００を操作したときに制御部１００により作成される野球の配球予想を配球コース指定枠内に表示する。
【００３９】
通信Ｉ／Ｆ１０４０は、ＤＴＶ受信装置１が、通信ネットワーク４を介して配球予想管理サーバ２等と情報を送受信する場合のネットワーク・アダプタである。通信Ｉ／Ｆ１０４０は、モデム、ケーブル・モデム及びイーサネット（登録商標）・アダプタを含んでよい。
【００４０】
リモコン受光部１０９０は、ユーザによりリモコン１１００が操作されたときに発せられる赤外線信号を受信し、ユーザからの指示や要求を受け付けて、これを制御部１００に通知する。
【００４１】
リモコン１１００は、数字キー１１１、十字キー１１２、選択キー１１３、及び確定キー１１４を有する。それぞれのキーは、ＤＴＶ受信装置１の選局、音量等を制御するものであるが、配球予想を受け付ける野球中継においては、これらのキーを利用して配球予想を行うことができる。数字キー１１１は、チャンネル選択ボタン部を構成するものであって、３行３列で構成されており、配球コース指定枠の中心部の３行３列に対応している。そして、数字キー１１１を押下することで、数字キー１１１に対応した配球コース指定枠の中心部の３行３列の領域のいずれかに配球予想を示すシンボルが表示される。また、十字キー１１２は、リモコン１１００において、方向指定ボタン部を構成するものである。十字キー１１２を押下することで、配球予想を上下左右に調整すると共に、既に表示されているシンボルを上下左右に調整する。また、選択キー１１３を押下することで、球種の予想の切り換えを行い、確定キー１１４を押下することで、配球予想の確定を行う。
【００４２】
なお、ＤＴＶ受信装置１は、画像の表示と、音声の出力を行うモニタ出力装置を組み込んだ受信機と、を含むこととしたが、これに限らない。例えば、ＳＴＢ（Ｓｅｔ  Ｔｏｐ  Ｂｏｘ）のような、モニタ出力装置が別に設けられる受信装置でもよい。
【００４３】
また、ＤＴＶ受信装置３も、ＤＴＶ受信装置１と同様の構成であり、配球予想を受け付ける野球中継において、ユーザが投手の配球を予想できるものである。
【００４４】
［配球予想管理サーバ２のハードウェア構成］
図３は、第１実施形態に係る配球予想管理サーバ２のハードウェア構成を示す図である。本発明が実施される配球予想管理サーバ２のハードウェア構成は標準的なものでよく、以下に構成の一例を示す。
【００４５】
配球予想管理サーバ２は、制御部２００を構成するＣＰＵ２０１０（マルチプロセッサ構成ではＣＰＵ２０１２等複数のＣＰＵが追加されてもよい）、バスライン２００５、通信Ｉ／Ｆ（Ｉ／Ｆ：インターフェイス）２０４０、ＲＡＭ２０５０、ＢＩＯＳ（Ｂａｓｉｃ  Ｉｎｐｕｔ  Ｏｕｔｐｕｔ  Ｓｙｓｔｅｍ）２０６０、表示装置２０２２、Ｉ／Ｏコントローラ２０７０、キーボード及びマウス等の入力装置２１００、ハードディスク２０７４、光ディスクドライブ２０７６、並びに半導体メモリ２０７８を備える。なお、ハードディスク２０７４、光ディスクドライブ２０７６、及び半導体メモリ２０７８はまとめて記憶部２２０と呼ぶ。
【００４６】
制御部２００は、配球予想管理サーバ２を統括的に制御する部分であり、ハードディスク２０７４に記憶された各種プログラムを適宜読み出して実行することにより、上述したハードウェアと協働し、本発明に係る各種機能を実現している。
【００４７】
通信Ｉ／Ｆ２０４０は、配球予想管理サーバ２が、通信ネットワーク４を介してＤＴＶ受信装置１等と情報を送受信する場合のネットワーク・アダプタである。通信Ｉ／Ｆ２０４０は、モデム、ケーブル・モデム及びイーサネット（登録商標）・アダプタを含んでよい。
【００４８】
ＢＩＯＳ１０６０は、配球予想管理サーバ２の起動時にＣＰＵ２０１０が実行するブートプログラムや、配球予想管理サーバ２のハードウェアに依存するプログラム等を記録する。
【００４９】
表示装置２０２２は、ブラウン管表示装置（ＣＲＴ）、液晶表示装置（ＬＣＤ）等のディスプレイ装置を含む。
【００５０】
Ｉ／Ｏコントローラ２０７０には、ハードディスク２０７４、光ディスクドライブ２０７６、及び半導体メモリ２０７８等の記憶装置である記憶部２２０を接続することができる。
【００５１】
入力装置２１００は、配球予想管理サーバ２の管理者による入力の受け付けを行うものである。
【００５２】
ハードディスク２０７４は、本ハードウェアを配球予想管理サーバ２として機能させるための各種プログラム、本発明の機能を実行するプログラム、並びに後述するＤＢのテーブル及びレコードを記憶する。なお、配球予想管理サーバ２は、外部に別途設けたハードディスク（図示せず）を外部記憶装置として利用することもできる。
【００５３】
光ディスクドライブ２０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク２０７７を使用する。光ディスク２０７７から光ディスクドライブ２０７６によりプログラム又はデータを読み取り、Ｉ／Ｏコントローラ２０７０を介してＲＡＭ２０５０又はハードディスク２０７４に提供することもできる。
【００５４】
なお、本発明でいうコンピュータとは、記憶装置、制御部等を備えた情報処理装置をいい、配球予想管理サーバ２は、上述のように、制御部２００、記憶部２２０等を備えた情報処理装置により構成され、この情報処理装置は、本発明のコンピュータの概念に含まれる。
【００５５】
また、配球予想管理サーバ２は、ハードウェアの数に制限はなく、必要に応じて１又は複数のハードウェアで構成してよい。また、複数のハードウェアで構成する場合には、通信ネットワーク４を介して各ハードウェアを接続してもよい。例えば、後述する各機能ごとに別サーバ（装置）とし、各サーバ間での信号の送受信により、各サーバを連携させることで、第１実施形態の機能を実現してもよい。
【００５６】
［機能構成］
図４は、第１実施形態に係るＤＴＶ受信装置１及び配球予想管理サーバ２の機能構成を示す図である。
【００５７】
ＤＴＶ受信装置１は、制御部１００と、リモコン１１００と、表示部１０８と、を備える。そして、制御部１００は、キー入力受信部１０１と、配球予想作成部１０２と、データ送受信部１０３と、配球予想表示制御部１０４と、を備える。また、リモコン１１００は、数字キー１１１と、十字キー１１２と、選択キー１１３と、確定キー１１４と、キー入力送信部１１５と、を備える。
【００５８】
配球予想管理サーバ２は、制御部２００と、記憶部２２０と、を備える。そして、予想受付制御部２０１と、ＤＢ制御部２０２と、データ送受信部２０３と、を備える。また、記憶部２２０は、配球予想ＤＢ２２１を備える。
【００５９】
キー入力受信部１０１は、リモコン１１００より送信されたキーの入力信号を受信する。
【００６０】
配球予想作成部１０２は、キー入力受信部１０１が受信したキー入力信号に基づいて予想したコースを示すシンボルを表示するためのデータ、すなわち、配球予想を作成して、表示部１０８に送信する。具体的には、後述で説明するデータ送受信部１０３の予想受付フラグの値を参照し、予想受付フラグの値が１である場合には、キー入力受信部１０１にて受信したキー入力信号に基づいて配球予想を作成して、表示部１０８に送信し、予想受付フラグの値が０である場合には、キー入力受信部１０１にて受信したキー入力情報に基づいて配球予想を作成しない。
【００６１】
データ送受信部１０３は、配球予想管理サーバ２とデータの送受信を行う。具体的には、キー入力受信部１０１が確定キー１１４の入力信号を受信したとき、又は、配球予想管理サーバ２より後述の予想受付不可信号を受信したときには、配球予想管理サーバ２に対して、キー入力信号に基づいて作成された配球予想を送信する。また、配球予想管理サーバ２より予想受付不可信号を受信したときには、予想受付不可信号の受信と併せて他ユーザの配球予想を受信する。すなわち、予想の受付を終了したときに、予想受付不可信号と併せて、受付時間内に受け付けられた他ユーザの配球予想を受信する。
【００６２】
また、データ送受信部１０３は、予想受付フラグ（図示せず）を備える。配球予想管理サーバ２より予想受付可能信号を受信すると、予想受付フラグの値に１がセットされる。そして、キー入力受信部１０１により、確定キー１１４の入力信号を受信、又は、配球予想管理サーバ２より予想受付不可信号を受信すると、予想受付フラグの値に０がセットされる。この予想受付フラグは配球予想作成部１０２により参照される。予想受付フラグの値が１の場合には、配球予想作成部１０２による配球予想の作成を許可し、予想受付フラグの値が０の場合には、配球予想の作成を許可しない。
【００６３】
配球予想表示制御部１０４は、表示部１０８に配球コース指定枠を表示する。そして、配球予想作成部１０２により配球予想が作成され、表示部１０８に配球予想が送信されると、配球コース指定枠内に配球予想を示すシンボルを表示する。また、データ送受信部１０３により、他ユーザの配球予想を受信すると、他ユーザの配球予想を示すシンボルを、配球予想作成部１０２により作成された配球予想を示すシンボルに重ね合わせて表示する。ここで、配球コース指定枠は、５行５列の格子状に分割され、それぞれの格子は正方形である。そして、配球コース指定枠のうち、中心部の３行３列の格子はストライクゾーンであり、その他の格子はボールゾーンである。
【００６４】
リモコン１１００は、配球予想を受け付ける野球中継において、ユーザにより投手の配球の予想を行うために用いられる。
【００６５】
キー入力送信部１１５は、数字キー１１１、十字キー１１２、選択キー１１３、又は確定キー１１４のいずれかが押下されると、押下されたキーに応じた入力信号を制御部１００に対して送信する。
【００６６】
数字キー１１１は、３行３列の格子状に配置されている９つのキーであり、それぞれのキーが配球コース指定枠の中心部の３行３列のストライクゾーンにそれぞれ対応する。そして、数字キー１１１が押下されると、キー入力送信部１１５により、数字キー１１１に応じた入力信号が送信される。そして、配球予想作成部１０２により、押下したキーに対応した配球コース指定枠内の格子に対する配球予想が作成され、押下したキーに対応した配球予想を示すシンボルが表示される。
【００６７】
十字キー１１２は、上下左右の４方向を示すキーであり、４方向のうちいずれかを指定して押下される。十字キー１１２が押下されると、キー入力送信部１１５により、十字キー１１２に応じた入力信号が送信される。そして、配球予想作成部１０２により、配球予想を示すシンボルを配球コース指定枠内において十字キー１１２により指定された方向に所定の位置だけ移動させた配球予想が作成され、この配球予想を示すシンボルが表示される。すなわち、数字キー１１１の操作では、ストライクゾーンの指定を行い、十字キーを操作することで、ストライクゾーンの外側に設けられたボールゾーンに対応した配球予想を作成することができる。
【００６８】
選択キー１１３は、球種の予想の切り換えを行うためのキーである。すなわち、選択キー１１３を押下すると、表示部１０８に表示されている配球予想を示すシンボルの形状が切り換わり、球種の予想の変更を行うことができる。
【００６９】
確定キー１１４は、ユーザの配球予想を確定させるためのキーである。すなわち、確定キー１１４を押下することにより、キー入力送信部１１５により、確定キー１１４に応じた入力信号が送信される。そうすると、データ送受信部１０３は、予想受付フラグの値に０をセットして配球予想の変更を不可として配球予想を確定し、さらに、配球予想管理サーバ２に対して配球予想を送信する。
【００７０】
予想受付制御部２０１は、野球中継において投手が投球を行う前に、ＤＴＶ受信装置１のリモコン１１００により配球を予想として指定する操作を受け付ける制御を行う。具体的には、予想受付許可信号又は予想受付不可信号をＤＴＶ受信装置１に送信して、ＤＴＶ受信装置１が配球予想を受け付けるか否かを制御する。すなわち、配球予想の受け付けを開始させる場合には、予想受付可能信号をＤＴＶ受信装置１に送信する。また、配球予想の受け付けを終了させる場合には、予想受付不可信号をＤＴＶ受信装置１に送信する。このように、予想受付許可信号又は予想受付不可信号をＤＴＶ受信装置１に送信することで、ＤＴＶ受信装置１のデータ送受信部１０３において、予想受付フラグの値の切り換えが行われるので、ＤＴＶ受信装置１において配球予想を受け付けるか否かを制御できる。また、野球中継において投手が投球を行う前に、ユーザの配球予想を受け付けるので、投球を行った後に、配球予想が当たったか否かを確認できる。
【００７１】
ＤＢ制御部２０２は、記憶部２２０の配球予想ＤＢ２２１（後述の図５）に対して、データの抽出や記憶といった制御を行う。すなわち、後述のデータ送受信部２０３により配球予想を受信すると、受信した配球予想を配球予想ＤＢ２２１に記憶する。また、データ送受信部２０３により他ユーザの配球予想を送信する場合には、対象データを抽出する。
【００７２】
図５は、第１実施形態に係る配球予想ＤＢ２２１を示す図である。配球予想ＤＢ１２１には、ユーザの配球予想が記憶される。具体的には、ユーザを一意に特定する「ユーザＩＤ」フィールドと、配球コース指定枠における配球予想の横軸上の位置を示す「Ｘ座標」フィールドと、配球コース指定枠における配球予想の縦軸上の位置を示す「Ｙ座標」フィールドと、投手の球種予想を示す「球種」フィールドと、が含まれている。これらのフィールドは、配球予想の詳細情報である。
【００７３】
データ送受信部２０３は、配球予想の送受信及び予想受付許可信号又は予想受付不可信号の送信を行う。具体的には、配球予想の受信と、配球予想ＤＢ２２１から抽出した配球予想の送信と、予想受付許可信号及び予想受付不可信号の送信と、を行う。
【００７４】
なお、ここでは、ＤＴＶ受信装置１及び配球予想管理サーバ２の機能構成について説明したが、ＤＴＶ受信装置３の機能構成はＤＴＶ受信装置１と同様である。ＤＴＶ受信装置３は、ＤＴＶ受信装置１と同様に、配球予想の受け付け等を行い配球予想管理サーバ２と配球予想の送受信及び予想受付許可信号又は予想受付不可信号を受信する。
【００７５】
［処理フロー］
図６及び図７は、第１実施形態に係るＤＴＶ受信装置１においてユーザが配球予想を行うときの処理を示すフローチャートである。
【００７６】
ステップＳ１１０では、制御部１００は、配球予想の入力受付時間内であるか否かを判定する。具体的には、データ送受信部１０３の予想受付フラグの値が１であればＹＥＳであると判定し、０であればＮＯと判定する。この判定がＹＥＳの場合にはステップＳ１２０に移り、判定がＮＯの場合にはステップＳ１９０に移る。
【００７７】
ステップＳ１２０では、制御部１００は、数字キー１１１が押下されたか否かを判定する。この判定がＹＥＳの場合にはステップＳ１３０に移り、判定がＮＯの場合にはステップＳ１４０に移る。
【００７８】
ステップＳ１３０では、制御部１００は、配球コース指定枠における３行３列のストライクゾーンのうち、押下された数字キー１１１に対応する箇所に配球予想を示すシンボルを表示する。ステップＳ１３０が終了すると、ステップＳ１４０に移る。
【００７９】
ステップＳ１４０では、制御部１００は、十字キー１１２が押下されたか否かを判定する。この判定がＹＥＳの場合にはステップＳ１５０に移り、判定がＮＯの場合にはステップＳ１６０に移る。
【００８０】
ステップＳ１５０では、制御部１００は、十字キー１１２の押下された箇所に応じた方向に対して、配球コース指定枠内で配球予想を示すシンボルを所定の位置だけ移動して表示する。ステップＳ１５０が終了すると、ステップＳ１６０に移る。
【００８１】
ステップＳ１６０では、制御部１００は、選択キー１１３が押下されたか否かを判定する。この判定がＹＥＳの場合にはステップＳ１７０に移り、判定がＮＯの場合にはステップＳ１８０に移る。
【００８２】
ステップＳ１７０では、制御部１００は、球種の予想を変更すると共に、配球予想のシンボルの形状を切り換えて表示する。ステップＳ１７０が終了すると、ステップＳ１８０に移る。
【００８３】
図７に移り、ステップＳ１８０では、制御部１００は、確定キーが押下されたか否かを判定する。この判定がＹＥＳの場合にはステップＳ１９０に移り、判定がＮＯの場合にはステップＳ１１０に移る。
【００８４】
ステップＳ１９０では、制御部１００は、ＤＴＶ受信装置１において予想された配球予想を配球予想管理サーバ２に送信する。ステップＳ１９０が終了すると、ステップＳ２００に移る。
【００８５】
ステップＳ２００では、制御部１００は、配球予想の入力受付時間内であるか否かを判定する。この判定がＹＥＳの場合にはステップＳ２００を再度実行し、判定がＮＯの場合にはステップＳ２１０に移る。
【００８６】
ステップＳ２１０では、制御部１００は、配球予想管理サーバ２より他ユーザの配球予想を受信する。ステップＳ２１０が終了すると、ステップＳ２２０に移る。
【００８７】
ステップＳ２２０では、制御部１００は、他ユーザの配球予想を配球コース指定枠内に表示する。ステップＳ２２０が終了すると、処理を終了する。
【００８８】
［配球予想の表示例］
図８は、第１実施形態に係るＤＴＶ受信装置１の表示部１０８に対して配球予想が表示されたときの表示例を示す図である。
【００８９】
図８において、表示部１０８には、テレビの野球中継の画像が表示されており、投手１０８１、捕手１０８２、及び打者１０８３が表示されているのが確認できる。さらに、配球コース指定枠１０８４が捕手１０８２に重ねて表示されているのが確認できる。
【００９０】
この例では、投手１０８１が投球準備を行ってから投球を行うまでの時間において、ユーザによる配球予想を受け付ける。すなわち、数字キー１１１を操作すると、配球コース指定枠１０８４の中心部３行３列のストライクゾーン１０８５のうち、押下された数字キー１１１に対応する箇所に配球予想を示すシンボル１０８４ａが表示される。また、十字キー１１２を押下すると、配球予想を示すシンボルを配球コース指定枠１０８４内において十字キー１１２により指定された方向に所定の位置だけ移動させた配球予想が作成され、この配球予想を示すシンボル１０８４ａが表示される。また、選択キー１１３を押下すると、配球予想を示すシンボル１０８４ａの形状が切り換わり、球種の予想を変更することができる。
【００９１】
図９から図１２は、第１実施形態に係る配球コース指定枠１０８４に配球予想を示すシンボルが表示されたときの表示例を示す図である。
【００９２】
図９は、数字キー１１１が押下されて、配球コース指定枠１０８４にシンボル１０８４ａが表示されたときの表示例を示す図である。図９から確認できるように、数字キー１１１を押下すると、配球コース指定枠１０８４の中心部３行３列のストライクゾーン１０８５のうち、数字キー１１１に対応する箇所に配球予想を示すシンボルが表示される。
【００９３】
図１０は、図９の表示例に対して、十字キー１１２の下方向を押下したときのシンボル１０８４ａの表示例を示す図である。図１０では、図９に比べてシンボル１０８４ａが下方向に移動していることが確認できる。すなわち、十字キー１１２を押下することにより、シンボル１０８４ａを配球コース指定枠１０８４内において十字キー１１２により指定された方向に所定の位置だけ移動して表示されることが確認できる。
【００９４】
図１１は、図９の表示例に対して、選択キー１１３を押下に応じてシンボル１０８４ａの形状が切り換わったときの表示例を示す図である。図１１では、図９に示されていたシンボル１０８４ａに替わり、シンボル１０８４ｂが表示されていることが確認できる。すなわち、選択キー１１３を押下することで、表示部１０８に表示されている配球予想を示すシンボル１０８４ａの形状が切り換わり、球種の予想の変更が行われていることが確認できる。なお、第１実施形態における球種とシンボルの形状との関係は、黒丸がストレート、バツ印がカーブ、黒三角がスライダーである。また、球種は投手に応じて適宜変更される。
【００９５】
図１２は、図９の表示例に対して、他ユーザの配球予想を示すシンボルが表示されたときの表示例を示す図である。図１２では、ユーザの配球予想を示すシンボル１０８４ａに加えて、他ユーザの配球予想を示すシンボル１０８４ｃ、１０８４ｄ、１０８４ｅが表示されていることが確認できる。なお、他ユーザの配球予想は、ユーザの配球予想と区別するために、白丸や白三角のように色を変えて表示される。
【００９６】
このように、数字キー１１１や十字キー１１２に対して、キーを押下するといった操作方法で配球予想を行うことが可能である。したがって、数字キー１１１や十字キー１１２によりユーザによる簡易な操作を受け付けることにより野球の配球予想を入力可能であることが確認できる。
【００９７】
［リモコンの具体例］
図１３は、第１実施形態に係るＤＴＶ受信装置１のリモコン１１００の具体例を示す図である。
【００９８】
図１３に示されるリモコン１１００は、電源ボタン１１０１と、破線で囲まれた９つの数字キー１１１、破線で囲まれた４つの選択キー１１３、それぞれ上下左右の方向を示す４つの十字キー１１２ａ、１１２ｂ、１１２ｃ、及び１１２ｃ、確定キー１１４が表示されている。ここでは、１１２ａ、１１２ｂ、１１２ｃ、及び１１２ｃをまとめて十字キー１１２とする。図１３に示されるように数字キー１１１は、３行３列の格子状に配されているので、配球コース指定枠１０８４の中心部の３行３列のストライクゾーン１０８５に対応していることが確認できる。例えば、数字キー１１１のうち、「５」と表示されている数字キー１１１は、ストライクゾーン１０８５の中心と対応付けられているので、この数字キー１１１を押下することにより、図９に示される配球コース指定枠１０８４の中心部に配球予想を示すシンボルが表示される。
【００９９】
なお、リモコン１１００の選択キー１１３を４つ設けることとしたが、これに限らない。例えば、選択キー１１３を１つのみ設け、このキーを押下するごとに球種を変化させることとしてもよい。このようにすることで、操作するキーを少なくできるのでより簡単な操作で配球予想を行うことができる。
【０１００】
（第２実施形態）
次に、第２実施形態について説明する。第２実施形態では、配球予想表示システムは、２台の表示手段を備え、電話番号入力ボタン部を構成する３行３列の略格子の位置に配された数字キーを備える携帯電話等の携帯端末において野球ゲームを行うシステムであって、投手側端末及び打者側端末のそれぞれの表示手段を構成する表示部において、５行５列の格子状に配した投球コース指定枠を表示し、この投球コース指定枠に対してそれぞれの端末に備えられた数字キーや十字キー等により投球コースの入力を行うものである。そして、入力した投球コースを相手の端末に対戦相手の投球コース予想に重ね合わせて表示するものである。なお、上述の通り、本実施例に係る携帯端末は、少なくとも電話番号入力ボタン部を構成する３行３列の略格子の位置に配された数字キーを備えている。
【０１０１】
なお、以下の説明において、上述した第１実施形態と同様の機能を果たす部分には、同一の符号又は末尾に同一の符号を付して、重複する説明を適宜省略する。
【０１０２】
［システム概要］
図１４は、第２実施形態に係るシステムの概要を示す図である。投手側端末６及び打者側端末７は、基地局８を介して通信ネットワーク４と接続される。これにより、投手側端末６及び打者側端末７は、通信ネットワーク４により双方向の通信が可能となる。なお、投手側端末６及び打者側端末７は、基地局８を介することなく、赤外線等の適当な近距離無線通信により通信を行ってもよい。
【０１０３】
投手側端末６では、野球ゲームにおいて、数字キー１１１、十字キー１１２、選択キー１１３、確定キー１１４を操作することで、投手側端末６に設けられた表示部１０８に表示される５行５列の格子状に配された投球コース指定枠に対して投球コースの入力を行う。他方、打者側端末７では、野球ゲームにおいて、数字キー１１１、十字キー１１２、選択キー１１３、確定キー１１４を操作することで、打者側端末７に設けられた表示部１０８に表示される５行５列の格子状に配された投球コース指定枠に対して投球コースの予想の入力を行う。そして、それぞれの入力が確定すると、対戦相手の入力結果を自らの入力結果に重ね合わせて表示する。
【０１０４】
［投手側端末６及び打者側端末７のハードウェア構成］
図１５は、第２実施形態に係る投手側端末６のハードウェア構成を示す図である。本発明が実施される投手側端末６のハードウェア構成は標準的なものでよく、以下に構成の一例を示す。なお、打者側端末７のハードウェア構成も投手側端末６の構成と同等のものである。
【０１０５】
投手側端末６は、制御部１００を構成するＣＰＵ１０１０、バスライン１００５、ＲＯＭ１０２０、ＲＡＭ１０３０、通信処理部１０５１、表示部１０８、操作部１１、及びメインアンテナ１２０１を備える。また、操作部１１には、数字キー１１１、十字キー１１２、選択キー１１３、及び確定キー１１４が設けられている。
【０１０６】
制御部１００、ＣＰＵ１０１０、バスライン１００５、ＲＯＭ１０２０、ＲＡＭ１０３０、表示部１０８は第１実施形態と同様であるので、説明を省略する。
【０１０７】
通信処理部１０５１は、メインアンテナ１２０１によって受信した信号を復調処理し、処理後の信号を制御部１００に供給し、一方、制御部１００から供給された信号を変調処理し、メインアンテナ１２０１を介して基地局８に送信する。
【０１０８】
操作部１１は、ユーザによる投手側端末６からの入力を受け付け、投手側端末６に設けられている各機能の操作を行う。また、野球ゲームを行っている場合には、操作部１１に設けられた数字キー１１１、十字キー１１２、選択キー１１３、及び確定キー１１４を利用して配球コースの指定を行うことができる。ここで、数字キー１１１は、電話番号入力ボタン部を構成する３行３列の略格子の位置に配され、十字キー１１２は、投手側端末６の方向指定ボタン部を構成する。
【０１０９】
［機能構成］
図１６は、第２実施形態に係る投手側端末６の機能構成を示す図である。
【０１１０】
投手側端末６は、制御部１００と、操作部１１と、表示部１０８と、を備える。そして、制御部１００は、キー入力受付部１０５と、配球コース作成部１０６と、データ送受信部１０３と、配球コース表示制御部１０７と、を備える。また、操作部１１は、数字キー１１１と、十字キー１１２と、選択キー１１３と、確定キー１１４と、を備える。
【０１１１】
キー入力受付部１０５は、操作部１１に備えられた数字キー１１１、十字キー１１２、選択キー１１３、及び確定キー１１４によるキー入力信号の受付を行う。
【０１１２】
配球コース作成部１０６は、キー入力受付部１０５により受け付けられたキー入力信号に基づいて配球コースを作成して、表示部１０８に配球コースを送信する。
【０１１３】
データ送受信部１０３は、打者側端末７とデータの送受信を行う。具体的には、キー入力受付部１０５により確定キー１１４の入力信号を受け付けると、配球コースの入力が確定したことを示す入力確定信号を打者側端末７に送信する。そして、打者側端末７より入力確定信号を受信すると、打者側端末７に対して配球コース作成部１０６により作成された配球コースを送信する。また、配球コースの送信と同時に、打者側端末７より、打者側端末７で作成された配球コースを受信する。
【０１１４】
配球コース表示制御部１０７は、表示部１０８に配球コース指定枠を表示する。そして、配球コース作成部１０６により配球コースが作成され、表示部１０８に配球コースが送信されると、配球コース指定枠内に配球コースを示すシンボルを表示する。また、データ送受信部１０３により、打者側端末７より配球コースを受信すると、打者側端末７により作成された配球コースを示すシンボルを、配球コース作成部１０６により作成された配球コースを示すシンボルに重ね合わせて表示する。
【０１１５】
操作部１１に設けられた数字キー１１１、十字キー１１２、選択キー１１３、及び確定キー１１４は、第１実施形態において説明した数字キー１１１、十字キー１１２、選択キー１１３、及び確定キー１１４と同様の機能を有する。
【０１１６】
表示部１０８は、第１実施形態において説明した表示部１０８と同様の機能を有する。
【０１１７】
なお、ここでは、投手側端末６の機能構成について説明したが、打者側端末７の機能構成も投手側端末６の機能構成と同様である。
【０１１８】
［処理フロー］
図１７及び図１８は、第２実施形態に係る投手側端末６においてユーザが配球コース入力を行うときの処理を示すフローチャートである。なお、Ｓ３２０からＳ３８０は、図６及び図７のＳ１２０からＳ１８０と同様であり、Ｓ４１０以降は、図７のＳ２１０以降と同様である。
【０１１９】
ステップＳ３８１では、制御部１００は、配球コースの入力が確定したことを示す入力確定信号を打者側端末７に送信する。
【０１２０】
ステップＳ３９０では、制御部１００は、配球コースを打者側端末７に送信する。
【０１２１】
ステップＳ４００では、制御部１００は、打者側端末７より入力確定信号を受信したか否かを判定する。この判定がＹＥＳの場合にはステップＳ４１０に移り、判定がＮＯの場合にはステップＳ４００を再度実行する。
【０１２２】
［配球コースの表示例］
図１９は、第２実施形態に係る投手側端末６の表示部１０８に対して配球コースが表示されたときの表示例を示す図である。
【０１２３】
図１９では、投手側端末６の表示部１０８には、野球ゲームであって投手側から打者を見る視点の画像が表示されており、捕手や打者といったキャラクタが表示されているのが確認できる。さらに、配球コース指定枠１０８６と、配球コースを示すシンボル１０８６ａと、打者側端末７から受信した配球コース予想を示すシンボル１０８６ｂと、が表示されているのが確認できる。
【０１２４】
ここでは、投手側端末６の数字キー１１１を操作すると、配球コース指定枠１０８６の中心部３行３列のストライクゾーン１０８７のうち、押下された数字キー１１１に対応する箇所に配球コースを示すシンボル１０８６ａを表示する。また、十字キー１１２を押下すると、配球コースを示すシンボルを配球コース指定枠１０８６内において十字キー１１２により指定された方向に所定の位置だけ移動させた配球コースが作成され、この配球コースを示すシンボル１０８６ａが表示される。また、選択キー１１３を押下すると、配球コースを示すシンボル１０８６ａの形状が切り換わり、球種を変更することができる。
【０１２５】
図２０は、第２実施形態に係る打者側端末７の表示部１０８に対して配球コースが表示されたときの表示例を示す図である。
【０１２６】
図２０では、打者側端末７の表示部１０８には、野球ゲームであって打者側から投手を見る視点の画像が表示されており、投手や打者といったキャラクタが表示されているのが確認できる。さらに、配球コース指定枠１０８８と、配球コース予想を示すシンボル１０８８ａと、投手側端末６から受信した配球コースを示すシンボル１０８８ｂと、が表示されているのが確認できる。
【０１２７】
ここでは、打者側端末７の数字キー１１１を操作すると、配球コース指定枠１０８８の中心部３行３列のストライクゾーン１０８９のうち、押下された数字キー１１１に対応する箇所に配球コース予想を示すシンボル１０８８ａを表示する。また、十字キー１１２を押下すると、配球コース予想を示すシンボルを配球コース指定枠１０８８内において十字キー１１２により指定された方向に所定の位置だけ移動させた配球コース予想が作成され、この配球コース予想を示すシンボル１０８８ａが表示される。また、選択キー１１３を押下すると、配球コース予想を示すシンボル１０８８ａの形状が切り換わり、球種の予想を変更することができる。
【０１２８】
図１９及び図２０に示されるように、視覚的に容易に関連付けを理解しやすい数字キー及び十字キーの押下というシンプルな操作のみで、配球コース予想の入力操作を容易に行うことができる。なお、投手側端末６で作成された配球コースと、打者側端末７で作成された配球コース予想の比較を行い、比較が一致する場合には、打者側端末７で作成した配球コース予想が当たったとして、ヒットの画面を表示する等の演出を行ってもよい。このようにすることで、野球ゲームの面白さを向上することができる。
【０１２９】
［端末の具体例］
図２１は、第２実施形態に係る投手側端末６の具体例を示す図である。
【０１３０】
図２１に示される投手側端末６は、破線で囲まれた９つのキーであって、電話番号入力部を構成する数字キー１１１、リング状のキーであって方向指定ボタン部を構成する十字キー１１２、破線で囲まれた４つの選択キー１１３、十字キー１１２で囲まれた箇所に配置された確定キー１１４が表示されている。図１９に示されるように数字キー１１１は、３行３列の格子状に配されているので、配球コース指定枠１０８４の中心部の３行３列のストライクゾーン１０８７に対応していることが確認できる。例えば、「５」と表示された数字キー１１１は、ストライクゾーン１０８７の中心と対応付けられているので、「５」と表示された数字キー１１１を押下することにより、図９に示される配球コース指定枠１０８４の中心部に配球コースを示すシンボルが表示される。
【０１３１】
なお、投手側端末６の選択キー１１３を４つ設けることとしたが、これに限らない。例えば、選択キー１１３を１つ設け、このキーを押下するごとに球種を変化させることとしてもよい。このようにすることで、操作するキーを少なくできるのでより簡単な操作でゲームを行うことができる。
【０１３２】
また、ここでは、投手側端末６の具体例について説明したが、打者側端末７も同様の構成である。また、投手側端末６及び打者側端末７は、上述に示したものに限らない。例えば、選択キー、確定キーといったそれぞれのキーを割り当て可能であって、さらに、数字キーとして３行３列の割り当てが可能、かつ、十字キーとして上下左右の方向を指定可能である操作手段を備えた端末であればよい。
【０１３３】
以上、本発明の実施形態について説明したが、本発明は前記実施形態に限定されるものではなく、本発明の目的を達成できる範囲での変形、改良などは本発明に含まれるものである。
【０１３４】
例えば、第１実施形態では、配球予想表示制御部１０４は、受信した他ユーザの配球予想を表示するに限らず、受信した他ユーザの配球予想のうち、指定したユーザの配球予想のみを表示するようにしてもよい。このようにすることで、他ユーザの配球予想の数が多く、配球コース指定枠における表示が視認しにくいといった問題に対応できる。すなわち、他ユーザのうち指定したユーザの配球予想のみに限定して受信し、表示装置に表示させることができるので、配球コース指定枠における表示の視認性を向上することができる。さらに、予想精度が高いユーザの配球コースを表示させることで、ユーザ自身の配球予想の精度向上に役立てることができる。
【０１３５】
また、第１実施形態では、ＤＴＶ受信装置１において配球コース予想を表示することとしたが、これに限らず、ＰＣ（Ｐｅｒｓｏｎａｌ  Ｃｏｍｐｕｔｅｒ）等の通信ネットワーク４を介して外部サーバと接続可能な装置を用いて実現することとしてもよい。
【０１３６】
また、インターネットテレビ等のインターネット接続機能を付加した受信装置に対して、ブラウザを表示することにより、配球予想を表示することとしてもよい。このようにすることで、サーバ側で配球予想を表示するプログラムを用意し、ブラウザによりサーバ側で用意したプログラムを表示させることができるので、インターネットテレビに対して特別に配球予想を表示させるための機能を追加することが不要となる。
【図面の簡単な説明】
【０１３７】
【図１】第１実施形態に係るＤＴＶ受信装置１と関連要素との全体構成を示す図である。
【図２】第１実施形態に係るＤＴＶ受信装置１のハードウェア構成を示す図である。
【図３】第１実施形態に係る配球予想管理サーバ２のハードウェア構成を示す図である。
【図４】第１実施形態に係るＤＴＶ受信装置１及び配球予想管理サーバ２の機能構成を示す図である。
【図５】第１実施形態に係る配球予想ＤＢ２２１を示す図である。
【図６】第１実施形態に係るＤＴＶ受信装置１においてユーザが配球コース予想を行うときの処理を示すフローチャートである。
【図７】図６に続くフローチャートである。
【図８】第１実施形態に係るＤＴＶ受信装置１の表示部１０８に対して配球コース予想が表示されたときの表示例を示す図である。
【図９】第１実施形態に係る配球コース指定枠１０８４に配球コース予想を示すシンボルが表示されたときの表示例を示す図である。
【図１０】第１実施形態に係る配球コース指定枠１０８４に配球コース予想を示すシンボルが表示されたときの表示例を示す図である。
【図１１】第１実施形態に係る配球コース指定枠１０８４に配球コース予想を示すシンボルが表示されたときの表示例を示す図である。
【図１２】第１実施形態に係る配球コース指定枠１０８４に配球コース予想を示すシンボルが表示されたときの表示例を示す図である。
【図１３】第１実施形態に係るＤＴＶ受信装置１のリモコン１１００の具体例を示す図である。
【図１４】第２実施形態に係るシステムの概要を示す図である。
【図１５】第２実施形態に係る投手側端末６のハードウェア構成を示す図である。
【図１６】第２実施形態に係る投手側端末６の機能構成を示す図である。
【図１７】第２実施形態に係る投手側端末６においてユーザが配球コース入力を行うときの処理を示すフローチャートである。
【図１８】図１７に続くフローチャートである。
【図１９】第２実施形態に係る投手側端末６の表示部１０８に対して配球コースが表示されたときの表示例を示す図である。
【図２０】第２実施形態に係る打者側端末７の表示部１０８に対して配球コースが表示されたときの表示例を示す図である。
【図２１】第２実施形態に係る投手側端末６の具体例を示す図である。
【符号の説明】
【０１３８】
１  ＤＴＶ受信装置
２  配球予想管理サーバ
３  ＤＴＶ受信装置
４  通信ネットワーク
１１  操作部
１００  制御部
１０１  キー入力受信部
１０２  配球予想作成部
１０３  データ送受信部
１０４  配球予想表示制御部
１０５  キー入力受付部
１０６  配球コース作成部
１０７  配球コース表示制御部
１０８  表示部
１１１  数字キー
１１２  十字キー
１１３  選択キー
１１４  確定キー
１１５  キー入力送信部
２００  制御部
２０１  予想受付制御部
２０２  ＤＢ制御部
２０３  データ送受信部
２２０  記憶部
２２１  配球予想ＤＢ
【図１】
2010115267.tif 000003
【図２】
2010115267.tif 000004
【図３】
2010115267.tif 000005
【図４】
2010115267.tif 000006
【図５】
2010115267.tif 000007
【図６】
2010115267.tif 000008
【図７】
2010115267.tif 000009
【図８】
2010115267.tif 000010
【図９】
2010115267.tif 000011
【図１０】
2010115267.tif 000012
【図１１】
2010115267.tif 000013
【図１２】
2010115267.tif 000014
【図１３】
2010115267.tif 000015
【図１４】
2010115267.tif 000016
【図１５】
2010115267.tif 000017
【図１６】
2010115267.tif 000018
【図１７】
2010115267.tif 000019
【図１８】
2010115267.tif 000020
【図１９】
2010115267.tif 000021
【図２０】
2010115267.tif 000022
【図２１】
2010115267.tif 000023